(57)【要約】【課題】使用者が複雑な操作や表示器の確認をすることなく、簡単な操作で快適な室内暖房を実現できる人体局部洗浄装置を提供する。【解決手段】人体局部を洗浄水にて洗浄する洗浄機能と、洗浄水を貯水するタンクと、タンク内に設けたヒータから構成される温水加熱手段と、上記ヒータが作動（オン）する間隔を計時する計時手段２１と、室内を暖房する暖房手段を備え、前記の計時手段２１に応じて室内の温度を判定する室温判定手段２２を設けて、この室温判定手段２２に基づき暖房手段１３２を制御する人体局部洗浄装置。【選択図】　図５
2004084316.tif 000002
【特許請求の範囲】
【請求項１】
人体局部を洗浄水にて洗浄する洗浄機能と、洗浄水を貯水するタンクと、このタンク内に設けたヒータから構成される温水加熱手段と、上記ヒータが作動（オン）する間隔を計時する計時手段と、室内を暖房する暖房手段を備える人体局部洗浄装置であって、前記計時手段に応じて前記室内の温度を判定する室温判定手段を設け、その室温判定手段に基づき前記暖房手段を制御する人体局部洗浄装置。
【請求項２】
室温判定手段は、計時手段により測定されたヒータの作動（オン）時間の間隔から、予め設定したヒータの作動（オン）時間の間隔と室温との相関に基づく室温と判定する請求項１記載の人体局部洗浄装置。
【発明の詳細な説明】
【０００１】
【発明の属する技術分野】
本発明は、人体局部洗浄装置に係わり、特にトイレ室内を暖房する暖房ユニット（暖房手段）を搭載する人体局部洗浄装置に関する。
【０００２】
【従来の技術】
人体局部洗浄装置は、用便後の人体局部を温水にて洗浄する温水洗浄装置と、便座に座った際の冷たさを感じさせないように便座を加熱する暖房便座装置を備える装置であり、衛生的な生活環境を整えるものとして広く普及し、また近年、この人体局部洗浄装置に、トイレ室内を温風で暖房する室内暖房装置を搭載したものが知られている（例えば、特開平６−１４６号公報参照）。
【０００３】
上記の室内暖房装置は、暖房ヒータと暖房ファンで構成されて室内に温風を吹き出す暖房機と、この暖房機の運転及び停止を制御する暖房制御部と、運転及び停止、運転時間、設定温度等を前記の暖房制御部に指示するための操作部を備える。
【０００４】
そして、室内暖房装置は、使用者が操作部から指示した運転条件に基づいて暖房ファンを駆動して送風し、暖房ヒータに通電することにより送風される空気を加熱して、トイレ室内に吹き出すことによってトイレ室内を暖房する。
【０００５】
このような室内暖房装置における操作部の盤面は、従来一般に、図７に示すように、暖房運転開始スイッチ及び暖房運転終了スイッチ２０１、暖房運転時間設定スイッチ２０２，２０３，２０４、暖房運転開始時刻設定スイッチ、暖房運転終了時刻設定スイッチ、暖房設定温度を変更する温度上げスイッチ２０５、及び温度下げスイッチ２０６を備え、更に運転時間表示器２０７，２０８，２０９、運転開始時刻表示器、運転終了時刻表示器等を備え、使用者は、暖房運転を行わせるためにこれらの表示器を確認しながら各種スイッチの操作を行うことになる。
【０００６】
従って、従来の人体局部洗浄装置における室内暖房装置は、快適な暖房運転を行わせるためには、使用者は、操作部盤面の多数のスイッチを操作しなければならず、その操作が面倒であるという問題点を有していた。
【０００７】
また、トイレ室内は一般的に暗く、使用者の誤操作などにより、暖房運転を必要としない時間帯も暖房運転が継続して無駄な電力を消費したり、更に、トイレ室内の温度を必要以上に上昇させる心配もある。
【０００８】
【発明が解決しようとする課題】
本発明は、使用者が複雑な操作や表示器の確認をすることなく、簡単な操作で快適な室内暖房を実現できる人体局部洗浄装置を提供しようとするものである。
【０００９】
【課題を解決するための手段】
本発明は、次のものに関する。
（１）人体局部を洗浄水にて洗浄する洗浄機能と、洗浄水を貯水するタンクと、このタンク内に設けたヒータから構成される温水加熱手段と、上記ヒータが作動（オン）する間隔を計時する計時手段と、室内を暖房する暖房手段を備える人体局部洗浄装置であって、前記計時手段に応じて前記室内の温度を判定する室温判定手段を設け、その室温判定手段に基づき前記暖房手段を制御する人体局部洗浄装置。
（２）室温判定手段は、計時手段により測定されたヒータの作動（オン）時間の間隔から、予め設定したヒータの作動（オン）時間の間隔と室温との相関に基づく室温と判定する上記（１）記載の人体局部洗浄装置。
【００１０】
【作用】
タンク内に設けられたヒータは、人体局部を洗浄するための洗浄水を所定温度に保つため適宜間隔でオン／オフ作動する。
本発明の人体局部洗浄装置における計時手段は、このオン／オフ作動するヒータの作動（オン）する間隔を測定する。
一方、室内の温度を判定する室温判定手段は、上記の計時手段により測定されたヒータの作動（オン）時間の間隔と、予め設定した上記ヒータの作動時間と室温との相関に基づく作動時間とを対比して、この相関に基づく作動時間のトイレ室内温度と判定して、その判定した温度が予め設定した室温となるよう暖房手段としての暖房ヒータ及び暖房ファンの運転を自動的に行うように制御する。
【００１１】
【発明の実施の形態】
以下に、本発明に係る人体局部洗浄装置の実施の形態を図１乃至図６を参照して説明する。
図１は本発明の実施の形態による人体局部洗浄装置の外観斜視図、図２は図１に示した人体局部洗浄装置の操作パネルの平面図である。
【００１２】
図１において、人体局部洗浄装置本体１は、暖房便座２及び便蓋３を回動自在に備え、便器４上に設置される。人体局部を洗浄する洗浄水は、水道管５から分岐した給水管６から洗浄水タンク（図示省略）に給水して貯水し、電熱ヒータ（図示省略）により設定温度まで加熱して温水とし、洗浄ノズル７から人体局部に向けて噴射する。
【００１３】
袖部８に内蔵した制御装置（詳細は後述する）は、商用電源から漏電ブレーカ９と電源コード１０を介して受電し、袖部８上に設けた操作パネル１１の操作ボタンスイッチの入力に従って電熱ヒータに給電して洗浄水タンク内の洗浄水を設定温度に加熱し、洗浄ノズル７の伸縮操作と洗浄水の噴射を制御する。
【００１４】
上記の操作パネル１１には図２に示すように、洗浄水噴射水量（噴射勢力）を設定する水量増減操作スイッチ１２ａ，１２ｂと、洗浄開始スイッチ１２ｃと、洗浄を停止する洗浄停止スイッチ１２ｄ等を備える。
【００１５】
図３は、図１に示した人体局部洗浄装置の機能ブロック図であり、人体局部に向けて洗浄水を噴射する洗浄水噴射機構１００は、給水管６から給水電磁弁１０１を介して洗浄水タンク１０２に給水して貯水する。洗浄水タンク１０２内の洗浄水は、電熱ヒータ１０３によって加熱し、洗浄水温検出センサ１０４にて温度を検出する。そして、給水電磁弁１０１が開かれて洗浄水タンク１０２に新たな給水が行われると洗浄水タンク１０２内の温水は水量制御弁１０５を介して洗浄ノズル７に押し出されて、洗浄ノズル７から人体局部に向けて噴出する。
【００１６】
上記の洗浄水タンク１０２内の加温された洗浄水は、放熱によりその温度が低下する。温度が低下すると洗浄水温検出センサが検出して電熱ヒータ１０３によって加熱する。
【００１７】
図４は、温水制御の特性図であり、（Ａ）はトイレ内の室温が低い場合、（Ｂ）は室温が高い場合における前記の電熱ヒータ１０３の作動パターンを示し、このように外気温の影響により放熱の速度が異なるため、電熱ヒータ１０３のオン時間の間隔（Ｔ１）には図に示すような差が生じる。
【００１８】
【表１】
2004084316.tif 000003
【００１９】
表１は、電熱ヒータのオン時間の間隔（Ｔ１）と作動時間及び室温の相関表である。
図５に示すように、図３中に示した制御装置２０内に設けた計時手段２１は、前述した電熱ヒータ１０３のオン時間の間隔（Ｔ１）を測定し、室温判定手段２２は、表１に示した相関表より室温を判定する。
本発明において前述したオン時間の間隔の測定、室温の判定は制御装置に設けたマイクロコンピュータにて行われる。
【００２０】
図６は人体局部洗浄装置の平面図であり、図１中に示す袖部８内に設けられた制御装置２０の室温判定手段２２（図５参照）は、判定した温度に応じて図１中に示す袖部８に内蔵された暖房ヒータ２３及び暖房ファン２４の運転を行う。
暖房ヒータ２３で加熱された温風が図６に示す吹出口２５から吹き出してトイレ室内を暖めるに従い電熱ヒータ１０３のオン時間の間隔（Ｔ１）も大きくなり、室温判定手段もＴ１に応じて高くなり、予め設定した室温の適温になると暖房ヒータ２３及び暖房ファンの運転を停止する。
【００２１】
【発明の効果】
以上説明したように、本発明の人体局部洗浄装置によれば、タンク内の洗浄水を加熱するためのヒータが作動（オン）する間隔を計時する計時手段に応じて室内の温度を判定する室温判定手段を設け、その室温判定手段に基づき暖房手段を制御する構成としており、室内暖房を自動で行うため、使用者は複雑な操作及び表示器の確認をせずに快適なトイレ環境を得ることができ、また、操作パネルのスイッチの総数を減らすことができるので、スイッチの大型化が図れて視認性が優れるとともに、低コストで快適な室内暖房装置を備えた人体局部洗浄装置が得られる。
【図面の簡単な説明】
【図１】本発明の実施の形態による人体局部洗浄装置の外観斜視図である。
【図２】図１に示した人体局部洗浄装置における操作パネルの平面図である。
【図３】図１に示した人体局部洗浄装置の機能ブロック図である。
【図４】本発明の実施の形態にかかる温水制御の特性図である。
【図５】本発明の人体局部洗浄装置における暖房制御手段のブロック図である。
【図６】本発明の実施の形態にかかる人体局部洗浄装置の平面図である。
【図７】従来例による室内暖房装置を備えた人体局部洗浄装置の操作パネルの平面図である。
【符号の説明】
１　人体局部洗浄装置本体　　　　　　　　２　暖房便座
３　便蓋　　　　　　　　　　　　　　　　４　便器
５　水道管　　　　　　　　　　　　　　　６　給水管
７　洗浄ノズル　　　　　　　　　　　　　８　袖部
９　漏電ブレーカ　　　　　　　　　　　１０　電源コード
１１　操作パネル　　　　　　　１２ａ，１２ｂ　水量増減操作スイッチ
１２ｃ　洗浄開始スイッチ　　　　　　　　１２ｄ　洗浄停止スイッチ
２０　制御装置　　　　　　　　　　　　　２１　計時手段
２２　室温判定手段　　　　　　　　　　　２３　暖房ヒータ
２４　暖房ファン　　　　　　　　　　　　２５　吹出口
１００　洗浄水噴射機構　　　　　　　　　１０１　給水電磁弁
１０２　洗浄水タンク　　　　　　　　　　１０３　電熱ヒータ（温水ヒータ）
１０４　洗浄水温検出センサ　　　　　　　１０５　水量制御弁
１３０　温水洗浄装置
１３１　電熱ヒータ制御手段（温水ヒータ制御手段）
１３２　暖房制御手段
２０１　暖房運転開始スイッチ及び暖房運転終了スイッチ
２０２，２０３，２０４　暖房運転時間設定スイッチ
２０５　温度上げスイッチ　　　　　　　　２０６　温度下げスイッチ
２０７，２０８，２０９　運転時間表示器
【図１】
2004084316.tif 000004
【図２】
2004084316.tif 000005
【図３】
2004084316.tif 000006
【図４】
2004084316.tif 000007
【図５】
2004084316.tif 000008
【図６】
2004084316.tif 000009
【図７】
2004084316.tif 000010